(57)【要約】【課題】  表面に電子機器を分離可能に結合する取り付け装置、システム及び方法が提供される。【解決手段】  装置は、垂直に電子機器を支持するための接合クリップを含む。クリップは、一対の弾力的な脚部及び接続部分を有し、各脚部は、表面に分離可能に結合するための複数の保持部を有する内表面を有する。クリップは、電子機器を水平に支持するための腕部及び台を含む。腕部は、クリップに接続された近位端部、及びフックを有する遠位端部を有する。台は、クリップに接続された縁部、及びフックを有する表面を有する。クリップは、腕部と台との間に電子機器を固定するストラップを含む。ストラップは、腕部のフックに接続される第一端部及び台のフックに接続される第二端部を有する。【選択図】  図１
2017003979.tif 000002
【特許請求の範囲】
【請求項１】
表面に電子機器を結合するための取り付けシステムであって、
垂直方向で前記電子機器を支持する手段であり、当該垂直支持手段は、前記表面に分離可能に接続する手段を含む、垂直支持手段、
水平方向で前記電子機器を支持する手段であり、当該水平支持手段は、連結する手段をそれぞれ有する離間した第一支持部及び第二支持部を含む、水平支持手段、及び
前記第一支持部と前記第二支持部との間で、前記垂直支持手段に前記電子機器を固定する手段であり、当該固定手段は第一端部及び第二端部を含み、当該固定手段は、前記第一端部において前記第一支持部の前記連結手段に、前記第二端部において前記第二支持部の前記連結手段に、取り外し可能かつ調節可能に接続する、固定手段、
を有する、取り付けシステム。
【請求項２】
前記電子機器は、カメラ、ビデオカメラ、携帯機器、携帯電話、タブレット又はパーソナルコンピューティング機器からなる群からのものである、請求項１に記載の取り付けシステム。
【請求項３】
前記表面は帽子のつばである、請求項１に記載の取り付けシステム。
【請求項４】
前記垂直支持手段は、一対の弾力的な脚部及び該一対の脚部を一つに接続する部分を有する接合クリップであり、各脚部は遠位端部、外表面及び内表面を有する、請求項１に記載の取り付けシステム。
【請求項５】
前記垂直支持手段の前記の接続手段は、各脚部の前記内表面に沿って複数の保持部を有する、請求項４に記載の取り付けシステム。
【請求項６】
前記離間した第一支持部は、前記接合クリップの前記外表面に接続された近位端部、及び遠位端部を有する、腕部である、請求項４に記載の取り付けシステム。
【請求項７】
前記離間した第一支持部の前記連結手段は、前記第一支持部の前記遠位端部に一体的に結合されたフックである、請求項６に記載の取り付けシステム。
【請求項８】
前記離間した第二支持部は、表面、及び前記接合クリップの前記外表面に接続された縁部、を有する台である、請求項７に記載の取り付けシステム。
【請求項９】
前記離間した第二支持部の前記連結手段は、前記第二支持部の前記表面に一体的に結合されたフックである、請求項８に記載の取り付けシステム。
【請求項１０】
前記固定手段は、前記腕部の前記フックに接続される第一端部及び前記台の前記フックに接続される第二端部を有するストラップである、請求項９に記載の取り付けシステム。
【請求項１１】
表面に電子機器を分離可能に結合するための取り付け装置であって、
垂直位置に前記電子機器を置くための基部を提供するように構成された接合クリップであり、当該クリップは、一対の弾力的な脚部及び該一対の脚部を一つに接続する部分を有し、各脚部は遠位端部、外表面及び内表面を有し、各脚部の前記内表面は複数の保持部を含み、取り付ける表面は当該クリップの前記脚部の間に挟まれ前記保持部によって固定される、接合クリップ、
水平方向で前記電子機器の重量を支持する支持腕部であり、当該腕部は、前記接合クリップの前記外表面に接続された近位端部、及びフックを有する遠位端部、を有する、支持腕部、
水平方向で前記電子機器の重量を支持する支持台であり、当該台は、前記接合クリップの前記外表面に接続された縁部、及びフックを有する表面、を有する、支持台、及び
前記腕部と前記台との間に前記電子機器を固定するストラップであり、当該ストラップは、前記支持腕部の前記フックに接続される第一端部及び前記支持台の前記フックに接続される第二端部を有する、ストラップ、
を有する、取り付け装置。
【請求項１２】
前記電子機器は、カメラ、ビデオカメラ、携帯機器、携帯電話、タブレット又はパーソナルコンピューティング機器からなる群からのものである、請求項１１に記載の取り付け装置。
【請求項１３】
前記取り付け面は、帽子のつばである、請求項１１に記載の取り付け装置。
【請求項１４】
前記支持腕部は、前記遠位端部の近傍に配置されたパッドを含む、請求項１１に記載の取り付け装置。
【請求項１５】
帽子と取り付けシステムの組み合わせであって、
前記帽子の前面の領域から外向きに延びるつば、及び
前記帽子の前記つばに電子機器を分離可能に結合するための取り付け装置、を有し、当該取り付け装置は、
垂直位置に前記電子機器を置くための基部を提供するように構成された接合クリップであり、当該クリップは、一対の弾力的な脚部及び該一対の脚部を一つに接続する部分を有し、各脚部は遠位端部、外表面及び内表面を有し、各脚部の前記内表面は複数の保持部を含み、前記つばは当該クリップの前記脚部の間に挟まれ前記保持部によって固定される、接合クリップ、
水平方向で前記電子機器の重量を支持する支持腕部であり、当該腕部は、前記接合クリップの前記外表面に接続された近位端部、及びフックを有する遠位端部、を有する、支持腕部、
水平方向で前記電子機器の重量を支持する支持台であり、当該台は、前記接合クリップの前記外表面に接続された縁部、及びフックを有する表面、を有する、支持台、及び
前記腕部と前記台との間に前記電子機器を固定するストラップであり、当該ストラップは、前記支持腕部の前記フックに接続される第一端部及び前記支持台の前記フックに接続される第二端部を有する、ストラップ、
を有する、帽子と取り付けシステムの組み合わせ。
【請求項１６】
前記電子機器は、カメラ、ビデオカメラ、携帯機器、携帯電話、タブレット又はパーソナルコンピューティング機器からなる群からのものである、請求項１５に記載の組み合わせ。
【請求項１７】
請求項１５に記載の帽子と取り付けシステムの組み合わせを使用して、写真又はビデオを記録する方法であって、前記電子機器はレンズ及びシャッターを含み、当該方法は、
ｉ．  前記支持腕部と前記支持台との間で、前記接合クリップ上に前記電子機器を垂直位置に置くステップ、
ｉｉ．  前記ストラップの前記第一端部を前記腕部の前記フックに連結することによって、前記腕部と前記台との間に前記電子機器を固定するステップ、
ｉｉｉ．  前記ストラップを、前記腕部、前記電子機器及び前記台の上に通すステップ、
ｉｖ．  前記ストラップの前記第二端部を前記台の前記フックに調節可能に固定するステップ、及び
ｖ．  前記帽子の前記つばを、前記接合クリップの前記脚部の間に挿入するステップ、
を含む、方法。
【請求項１８】
ｉ．  前記電子機器を作動させるステップ、
ｉｉ．  撮影されるべき写真の方向に前記レンズを向けるステップ、及び
ｉｉｉ．  前記シャッターを動作させて写真を撮影するステップ、
を更に含む、請求項１７に記載の方法。
【請求項１９】
前記シャッターは、タッチスクリーン表示装置、音量調節装置、無線遠隔制御、ブルートゥース（登録商標）シャッター制御、ヘッドフォン又はボタンを使用して動作させられる、請求項１８に記載の方法。
【請求項２０】
ｉ．  前記電子機器を作動させるステップ、
ｉｉ．  録画されるべきシーンの方向に前記レンズを向けるステップ、
ｉｉｉ．  前記電子機器を動作させて前記ビデオの録画を開始するステップ、及び
ｉｖ．  前記電子機器を動作させて前記ビデオの録画を終了するステップ、
を更に含む、請求項１７に記載の方法。
【請求項２１】
前記シャッターは、タッチスクリーン表示装置、音量調節装置、無線遠隔制御、ブルートゥース（登録商標）シャッター制御、ヘッドフォン又はボタンを使用して動作させられる、請求項２０に記載の方法。
【発明の詳細な説明】
【技術分野】
【０００１】
本発明は概して取り付け装置に関し、より具体的には、帽子のつばに電子機器を分離可能に結合して、改良された画像の安定化を有するハンズフリーのビデオ又は画像の記録を提供するための取り付け装置、システム及び方法に関する。
【背景技術】
【０００２】
カメラ又は他の電子機器を安定した状態に保つことは、ぼやけた写真又はビデオを撮影することを避けるために必須である。カメラの振れを避けることは、夜間に又は微光状況で写真又はビデオを撮影する場合に特に重要である。使用者は、必然的に不安定な手に機器を持ち、ほんの少しの動きでさえもぼやけたビデオ又は画像を作り出す。機器を安定させるために架台又は三脚を使用する場合でさえ、写真又はビデオを撮影するためにシャッターボタンを押すときに振れが生じ得る。機器の動きに関連するぼやけを低減するために、シャッターボタンを動作させ、カメラの振れを最小化するための様々な方法が、画像安定化技術を使用して発見されている。
【０００３】
一つのそのような方法は、機器を安定化するために使用者の頭部を利用し、一方でシャッターを動作させるために無線遠隔操作を利用する。この方法は、必然的にカメラの振れを低減し、よりはっきりしたな写真及びビデオを提供し、使用者の頭はより安定であり、生み出す揺れ（jarring）及び跳ね（bouncing）がより少ないという事実に起因すると考えられる。そのため、ヘッドバンド又は他のヘッドピースを介して使用者の頭部に身に着けられることが可能な取り付け装置を設計することが有益となってきた。それは、使用者が無線遠隔シャッター、音量調節装置ヘッドフォン又はタッチパッド表示画面を使用してシャッターを動作させることを可能にする。
【０００４】
カメラ及びヘッドピースの組み合わせ（combinations）の設計における最近の試みは、それらが通常、ヘッドピースに接続する使用に適した特別なカメラ又はビデオカメラを要求する点において、大いに不成功であった。加えて、これらの他の試みは、独特なヘッドピースアセンブリに一体的に結合されたマウントを使用し、普遍的に（universally）適合可能でなく又はお気に入りの帽子と組み合わされる容易に取り外し可能な装置ではない。
【０００５】
これらの方法は採用される特定の目的に適するかも知れないが、それらは、本明細書において以下に開示されるような本発明の目的に適しないであろう。
【０００６】
したがって、本発明の第一の目的は、帽子のつばに電子機器を分離可能に結合して、改良された画像の安定化を有するハンズフリーのビデオ又は画像の記録を提供するための、新たな改良された取り付け装置、システム及び方法を開発することである。
【０００７】
本発明の一つの他の目的は、任意の帽子のつばに電子機器を簡便かつ容易に取り付けること及び分離することによって、カメラの振れを低減することが可能な組み合わせシステムを提供することである。
【０００８】
本発明の一つの他の目的は、様々な異なる電子機器を受容することが可能な取り付け装置を提供することである。様々な異なる電子機器は、カメラ、ビデオカメラ、携帯機器、携帯電話、タブレット又はパーソナルコンピューティング機器を含むがこれらに限定されない。
【０００９】
本発明の一つの他の目的は、電子機器が帽子に結合されたままで、タッチスクリーン表示装置、音量調節装置、無線遠隔制御、ブルートゥース（登録商標）シャッター制御、ヘッドフォン又はボタンを使用して、使用者がシャッターを動作させ写真又はビデオを撮影することを可能にする方法を提供することである。
【発明の概要】
【課題を解決するための手段】
【００１０】
本発明の一つの態様によれば、表面（surface）に電子機器を結合する（coupling）ための取り付けシステムが提供される。システムは、垂直方向で電子機器を支持する手段を含み、垂直支持手段は、表面に分離可能に接続する手段（means  for  detachably  connecting）を含む。システムは、水平方向で電子機器を支持する手段を含み、水平支持手段は、連結する手段（means  for  fastening）をそれぞれ有する離間した第一支持部及び第二支持部を含む。システムは、第一支持部と第二支持部との間で、垂直支持手段に電子機器を固定する手段（means  for  securing）を含み、固定手段は第一端部及び第二端部を含み、固定手段は、第一端部において第一支持部の連結手段（fastening  means）に、第二端部において第二支持部の連結手段に、取り外し可能かつ調節可能に接続する。
【００１１】
電子機器は、カメラ、ビデオカメラ、携帯機器、携帯電話、タブレット又はパーソナルコンピューティング機器からなる群からのものであってもよい。
【００１２】
表面は帽子のつばであってもよい。
【００１３】
取り付けシステムの垂直支持手段は、一対の弾力的な脚部及び一対の脚部を一つに接続する部分を有する接合クリップ（mating  clip）であってもよく、各脚部は遠位端部、外表面及び内表面を有してもよい。
【００１４】
垂直支持手段の接続手段は、各脚部の内表面に沿って複数の保持部（jaws）を含んでもよい。
【００１５】
取り付けシステムの離間した第一支持部は、接合クリップの外表面に接続された近位端部、及び遠位端部を有する、腕部（arm）であってもよい。
【００１６】
離間した第一支持部の連結手段は、第一支持部の遠位端部に一体的に結合されたフックであってもよい。
【００１７】
取り付けシステムの離間した第二支持部は、表面、及び接合クリップの外表面に接続された縁部（edge）、を有する台（platform）であってもよい。
【００１８】
離間した第二支持部の連結手段は、第二支持部の表面に一体的に結合されたフックであってもよい。
【００１９】
取り付けシステムの固定手段は、腕部のフックに接続される第一端部及び台のフックに接続される第二端部を有するストラップであってもよい。
【００２０】
一つの追加的な実施形態によれば、表面に電子機器を分離可能に結合するための取り付け装置が提供される。装置は、垂直位置（vertical  position）に電子機器を置くための基部（base）を提供するように構成された接合クリップを含む。クリップは、一対の弾力的な脚部及び一対の脚部を一つに接続する部分を有し、各脚部は遠位端部、外表面及び内表面を有する。各脚部の内表面は複数の保持部を含む。取り付ける表面はクリップの脚部の間に挟まれ（sandwiched）、保持部によって固定される。装置は、水平方向で電子機器の重量を支持する支持腕部を含む。腕部は、接合クリップの外表面に接続された近位端部、及びフックを有する遠位端部、を有する。装置は、水平方向で電子機器の重量を支持する支持台を含む。台は、接合クリップの外表面に接続された縁部、及びフックを有する表面、を有する。装置は、腕部と台との間に電子機器を固定するストラップを含む。ストラップは、支持腕部のフックに接続される第一端部及び支持台のフックに接続される第二端部を有する。
【００２１】
取り付けシステムの電子機器は、カメラ、ビデオカメラ、携帯機器、携帯電話、タブレット又はパーソナルコンピューティング機器からなる群からのものであってもよい。
【００２２】
取り付け面は、帽子のつばであってもよい。
【００２３】
取り付けシステムの支持腕部は、遠位端部の近傍に配置されたパッドを含んでもよい。
【００２４】
一つの追加的な実施形態において、帽子と取り付けシステムの組み合わせが提供される。システムの帽子は、前面の領域から外向きに延びるつばを含む。システムは、帽子のつばに電子機器を分離可能に結合するための取り付け装置、を含む。取り付け装置は、垂直位置に電子機器を置くための基部を提供するように構成された接合クリップを含む。クリップは、一対の弾力的な脚部及び一対の脚部を一つに接続する部分を有する。各脚部は遠位端部、外表面及び内表面を有する。各脚部の内表面は複数の保持部を含む。つばはクリップの脚部の間に挟まれ保持部によって固定される。取り付け装置は、水平方向で電子機器の重量を支持する支持腕部を含む。腕部は、接合クリップの外表面に接続された近位端部、及びフックを有する遠位端部、を有する。取り付け装置は、水平方向で電子機器の重量を支持する支持台を含む。台は、接合クリップの外表面に接続された縁部、及びフックを有する表面、を有する。取り付け装置は、腕部と台との間に電子機器を固定するストラップを含む。ストラップは、支持腕部のフックに接続される第一端部及び支持台のフックに接続される第二端部を有する。
【００２５】
電子機器は、カメラ、ビデオカメラ、携帯機器、携帯電話、タブレット又はパーソナルコンピューティング機器からなる群からのものであってもよい。
【００２６】
一つの追加的な実施形態によれば、帽子と取り付けシステムの組み合わせを使用して、写真又はビデオを記録する（capture）方法が提供される。電子機器はレンズ及びシャッターを含む。方法は、支持腕部と支持台との間で、接合クリップ上に電子機器を垂直位置に置くステップを含む。次いで、ストラップの第一端部を腕部のフックに連結することによって、腕部と台との間に電子機器を固定するステップを含む。そして、ストラップを、腕部、電子機器及び台の上に通すステップを含む。次いで、ストラップの第二端部を台のフックに調節可能に固定するステップを含む。そして、帽子のつばを、接合クリップの脚部の間に挿入するステップを含む。
【００２７】
方法は、電子機器を作動させるステップ、撮影されるべき写真の方向にレンズを向けるステップ、及びシャッターを動作させて（triggering）写真を撮影するステップ、を更に含んでもよい。シャッターは、タッチスクリーン表示装置、音量調節装置（volume  controls）、無線遠隔制御、ブルートゥース（登録商標）シャッター制御、ヘッドフォン又はボタンを使用して動作させられてもよい。
【００２８】
方法は、電子機器を作動させるステップ、録画されるべきシーンの方向にレンズを向けるステップ、電子機器を動作させてビデオの録画を開始するステップ、及び電子機器を動作させてビデオの録画を終了するステップ、を更に含んでもよい。シャッターは、タッチスクリーン表示装置、音量調節装置、無線遠隔制御、ブルートゥース（登録商標）シャッター制御、ヘッドフォン又はボタンを使用して動作させられてもよい。
【図面の簡単な説明】
【００２９】
本明細書において以下に現れ得るこれらの目的及びそのような他の目的に対して、添付の図面と共に以下の説明において詳細に記述され、付属の特許請求の範囲において列挙されるように、本発明は、ハンズフリーのビデオ又は画像の記録のための取り付け装置、システム及び方法に関する。図面中、同様な数字は同様な部分を参照する。
【図１】本発明の好ましい実施形態による取り付け装置の側方の立面図である。
【図２】図１の取り付け装置の後方及び側方を示す、斜視図である。
【図３】図１の取り付け装置の前方及び側方を示す、斜視図である。
【図４】図１の取り付け装置の前方を示す、立面図である。
【図５】図１の取り付け装置の後方を示す、立面図である。
【図６】本発明の好ましい実施形態による取り付け装置に電子機器を接続するためのストラップを示す、斜視図である。
【図７】取り付け装置のストラップの前方を示す、立面図である。
【図８】取り付け装置のストラップの上面を示す、平面図である。
【図９】図１の取り付け装置の立面図であり、連結手段によって電子機器、すなわちｉＰｈｏｎｅ（アップル（登録商標）社の登録商標）に結合された状態で示されている。
【図１０】図２の取り付け装置の斜視図であり、連結手段によって電子機器に結合された状態で示されている。
【図１１】図３の取り付け装置の斜視図であり、連結手段によって電子機器に結合され、帽子のつばに接続された状態で示されている。  上記の目的及び関連する目的を達成するために、本発明は、添付の図面に示される形で具体化され得る。しかしながら、図面はただ単に説明のためであるという事実が留意されるべきである。複数の変形が本発明の一部であるものとして企図され、本発明は特許請求の範囲によってのみ限定される。
【発明を実施するための形態】
【００３０】
図１乃至図５は、本発明の好ましい実施形態の、ハンズフリーのビデオ又は画像の記録を提供するための取り付け装置１０を示す。その最も広い文脈において、取り付け装置１０は、電子機器を取り付け可能な表面に分離可能に結合し、接合クリップ２０を含み、一体的に結合された支持プレート６０及び支持腕部４０を有する。接合クリップ２０は取り付け可能な表面に固定可能であり、支持腕部４０及びプレート６０はそれらに対して電子機器を固定する。
【００３１】
説明の目的のために、本発明は、電子器機を受容、支持及び固定することの観点から取り付け装置１０を考察するであろう。より具体的には、電子機器は、携帯電話１２として図示及び説明される。パーソナル電子機器、カメラ、ビデオカメラ、タブレット及び他の電子機器が予期されている。
【００３２】
説明の目的のために、本発明は、取り付け可能な表面１００、すなわち帽子１０２のつば１０４に取り外し可能に結合されるものとして、取り付け可能な装置を参照するであろう。棚、壁、家具及び他の物体及び品物のような、様々な取り付け表面が予期されており、従って取り付け可能な表面１００、帽子に限定されない。
【００３３】
好ましい実施形態において、帽子１０２は、野球様式の帽子であってもよく又は他の類似のキャップ又はバイザーであってもよく、前面の領域（frontal area）１１０を有する頭頂部（crown）１０６を有する。つば（brim）１０４は、前面の領域１１０から外向きに延びる。好ましくは、つば１０４は、布材によって覆われたプラスチック又は厚紙の補強材１０８を含む。
【００３４】
取り付け装置１０は、帽子１０２のつば１０４と接合する（mate）ように構成された接合クリップ２０を含む。接合クリップ２０は、弾力的に変形可能なＵ字形状の部材であり、部分２０Ｂによって互いに接続された２つの脚部２０Ａから構成されている。各脚部２０Ａは、遠位側の把持端部（gripping  end）２２を含む。開口部２４は、複数の脚部２０Ａの間の空間に置かれている。開口部２４は、帽子のつば又は他の取り付け可能な表面が、その中に受容されることを可能にするような寸法に作られている。脚部２０Ａは外表面２６及び内表面２８を有し、内表面２８は、把持端部２２から内向きに延びる複数の保持部３０を含む。
【００３５】
支持腕部４０は、遠位端部４４及び近位端部４２を有する。近位端部４２において、腕部は、第一把持端部２２Ａ付近で接合クリップに一体的に接続される。腕部４０は、実質的に接合クリップから離れて遠位端部４４に向かって延びる。腕部は、把持フェルトパッド４８を含んでもよい第一表面４６を含み、第一表面４６は、携帯電話１２の重量を支持するように構成されている。遠位端部４４は、フック５０を含む。
【００３６】
支持台６０は、接合クリップ２０から垂直に延びる実質的に四角形のプレートである。台は、第一縁部６３において、腕部４０に近いクリップ２０の外表面２６に直角に接続されている。そのため、台６０及び腕部４０は、それらの間に携帯電話１２を受け入れるための開口部を形成する。台６０は前面６２及び後面６４を有し、後面６４は、これに対して携帯電話１２を支持する。台は、前面６２から延びるフック６６を有する。
【００３７】
支持腕部４０及び台６０は、帽子１０２に取り付けられたときに好ましくは使用者の視界の角度でビデオ及び画像を記録するために、複数の予め定められたクリップ２０からの角度で、調節可能に配置されてもよい。
【００３８】
連結手段７０は、腕部４０と台６０との間で、接合クリップ２０に携帯電話１２を固定するために使用される。好ましくは、連結手段７０は、図６乃至図８に示される実質的に細長い四角形のストラップである。ストラップ７０は、好ましくはゴム又はプラスチックから作られ、曲がること及び伸縮することが可能である。ストラップ７０は、第一端部７２及び第二端部、並びに複数の離間した開口部７６を有する。開口部７６は、それぞれ腕部４０及び台６０のフック５０，６６に輪を描いて結び付く（loop  onto）ように構成されている。ストラップ７０の開口部７６は、様々な異なる寸法の機器をクリップ２０に調節可能に固定するように、構成及び離間されている。
【００３９】
図９乃至図１１は、使用中の装置１０を示す。携帯電話１２を取り付け装置１０に結合するために、使用者は、支持腕部４０と支持台６０との間に携帯電話１２を挿入する。携帯電話１２は、使用者の頭部の前方の写真又はビデオを撮影するためにシャッターが外向きに面するように向けられる。帽子が後ろ向きに使用者の頭部に身に着けられる場合は、電子機器は同様に向けられるが、しかしながら記録される画像又はビデオは、使用者の頭部の背後になるであろう。使用者は、ストラップ７０の第一端部７２の開口部７６を腕部４０のフック５０に結合させる。次いで、使用者は、ストラップを腕部、携帯電話１２及び台６０の上に引張り、ストラップ７０の第二端部７４の適切な開口部７６をフック６６に固定する。そして、使用者は、携帯電話１２のビデオ又はカメラ機能を作動させる（turns  on）。
【００４０】
装置１０を帽子１０２に取り付けるために、使用者は、接合クリップ２０の把持端部２２を帽子１０２のつば１０４に隣接して配置し、矢印３２によって示されるように帽子のつば１０４を開口部２４に挿入する。クリップ２０の保持部３０は、取り付け装置１０をつば１０４に固定し、装置１０が容易に滑り外れること又は動くことを妨げる。
【００４１】
ひとたび帽子１０２のつば１０４に固定されると、携帯電話１２は、ビデオ又は画像を記録する使用準備が完了する。好ましい実施形態において、携帯電話又は他の電子機器１２は、レンズ８１及びシャッタートリガ又は制御装置８０を含む。シャッタートリガ又は制御装置８０は、ブルートゥース（Bluetooth（登録商標）Special  Interest  Group,  Inc.の登録商標）若しくはブルートゥース（登録商標）と通信する他の無線シャッター制御装置、又は他の無線遠隔制御装置８２であってもよい。無線遠隔制御は、典型的に送信機及び受信機から構成される。受信機は、電子機器１２のシャッターレリーズ（shutter  release）ソケットに接続される。無線送信機は、遠隔制御装置８２に配置されてもよい。遠隔制御装置８２にはボタンが設けられる。対応するボタンが押されたときに、無線送信機は信号を送信する。受信機は電子機器に接続されており、送信機からの指令を受信した後にシャッターレリーズ信号を電子機器制御システムに送信する。制御システムは意図された機能を即座に実行する。機能は、信号を受信した際の焦点合わせ及び撮像（picture  pickup）、長時間露光（long-time exposure  exposure）、遅延露光（delayed  exposure）、タイムラプス露光（time  lapse  exposure）、ビデオ録画及び／又はタイムラプス機能を含んでもよい。
【００４２】
他の実施形態において、使用者は、ブルートゥース（登録商標）、遠隔シャッター、音量調節装置、ヘッドフォン又はタッチパッド表示画面を用いて、シャッターボタンを動作させてもよい。
【００４３】
本発明の構想に忠実なままで、多数の変形が可能であることが理解されるべきである。そのような変形は、本発明の一部であるものとして企図されている。
【００４４】
説明の目的のために本発明の一つの好ましい実施形態のみが開示されたが、多くの変更及び変形がそれに対してなされ得ることが、明らかである。本発明の範囲に含まれるそれらの変更及び変形の全てを含めることが、意図されている。
【図１】
2017003979.tif 000003
【図２】
2017003979.tif 000004
【図３】
2017003979.tif 000005
【図４】
2017003979.tif 000006
【図５】
2017003979.tif 000007
【図６】
2017003979.tif 000008
【図７】
2017003979.tif 000009
【図８】
2017003979.tif 000010
【図９】
2017003979.tif 000011
【図１０】
2017003979.tif 000012
【図１１】
2017003979.tif 000013